(57)【要約】光磁気磁区拡大記録媒体（１０）を読み取るための方法及び装置であって、磁区コピー処理の空間的なコピーウィンドウのサイズが、読み出しパルスから導出される制御情報に応じて所定の読み取りパラメータを変化させることにより制御される。変化の所定の付加的なパターンが前記所定のパラメータに適用され、前記制御情報はこのときクロック信号のずれから導出される。かくしてコピーウィンドウのサイズは、堅固で信頼性の高い読み出し処理を得るために動的に制御されることができる。
2005530292.tif 000002
【特許請求の範囲】
【請求項１】
光磁気記録媒体のための読み取り方法であって、前記記録媒体は記憶層及び読み出し層を有し、放射パワーによる加熱の際に外部磁界を利用して前記記憶層から前記読み出し層へマーク領域をコピーすることによって、読み出しパルスをもたらす拡大された磁区が前記読み出し層において生成され、前記方法は、
前記読み出しパルスから導出される制御情報に応じて、所定の読み取りパラメータを変化させることにより、前記コピーの処理の空間的なコピーウィンドウのサイズを制御するステップと、
前記所定のパラメータに所定の付加的な変化のパターンを適用するステップと、
クロック信号のずれから前記制御情報を得るステップと、
を有する方法。
【請求項２】
前記クロック信号は、前記読み出しパルスから、前記記録媒体に備えられたウォブル状にされたグルーブから若しくはエンボスされたマークから、又はこれらのいずれかの組み合わせから再生される、請求項１に記載の方法。
【請求項３】
前記所定のパラメータは前記放射パワーの値に対応する、請求項１又は２に記載の方法。
【請求項４】
前記所定のパラメータは前記外部磁界の強度に対応する、請求項１又は２に記載の方法。
【請求項５】
前記所定のパラメータは、前記放射パワーの値と前記外部磁界の強度との組み合わせに対応する、請求項１又は２に記載の方法。
【請求項６】
前記放射パワーの値及び前記外部磁界の強度のうちの一方が粗い制御のために利用され、他方が詳細な制御のために利用される、請求項５に記載の方法。
【請求項７】
前記外部磁界の強度は、磁気ヘッドのコイル電流を変化させることにより変化させられる、請求項４乃至６のいずれか一項に記載の方法。
【請求項８】
前記制御情報は、所定の設定値からの前記再生されたクロック信号の位相誤差の最大値のずれから得られる、請求項１乃至７のいずれか一項に記載の方法。
【請求項９】
前記所定の付加的な変化のパターンは、所定の周波数の周期的なパターンである、請求項１乃至７のいずれか一項に記載の方法。
【請求項１０】
前記周期的なパターンは正弦波パターンである、請求項９に記載の方法。
【請求項１１】
前記周期的なパターンは矩形波パターンである、請求項９に記載の方法。
【請求項１２】
前記矩形波パターンの周波数は、ビット周波数の半分又は前記ビット周波数の半分の整数倍に対応する、請求項１１に記載の方法。
【請求項１３】
前記クロック信号は、位相ロックループ機能を利用して再生される、請求項１乃至７のいずれか一項に記載の方法。
【請求項１４】
光磁気記録媒体から読み取るための読み取り装置であって、前記記録媒体は記憶層及び読み出し層を有し、放射パワーによる加熱の際に外部磁界を利用して前記記憶層から前記読み出し層へマーク領域をコピーすることによって、読み出しパルスをもたらす拡大された磁区が前記読み出し層において生成され、前記装置は、
前記読み出しパルスから導出される制御情報に応じて、所定の読み取りパラメータを変化させることにより、前記コピーの処理の空間的なコピーウィンドウのサイズを制御する制御手段と、
前記所定のパラメータに所定の付加的な変化のパターンを適用する変化手段と、
クロック信号のずれから前記情報を得るためのクロック再生手段と、
を有する読み取り装置。
【請求項１５】
前記クロック再生手段は、前記読み出しパルスから、前記記録媒体に備えられたウォブル状にされたグルーブから若しくはエンボスされたマークから、又はこれらのいずれかの組み合わせから前記クロック信号を再生するように構成される、請求項１４に記載の読み取り装置。
【請求項１６】
前記制御手段は、前記放射パワーを変化させるように構成される、請求項１４又は１５に記載の読み取り装置。
【請求項１７】
前記制御手段は、前記外部磁界を変化させるように構成される、請求項１４又は１５に記載の読み取り装置。
【請求項１８】
前記制御手段は、前記放射パワーの値と、前記外部磁界の強度とを、組み合わせて変化させるように構成される、請求項１４又は１５に記載の読み取り装置。
【請求項１９】
前記制御手段は、前記放射パワーの値及び前記外部磁界の強度のうちの一方を粗い制御のために利用し、他方を詳細な制御のために利用するように構成される、請求項１８に記載の読み取り装置。
【請求項２０】
前記マーク領域がコピーされるまで前記外部磁界を維持し、前記読み出しパルスの検出に応じて前記外部磁界を反転させる磁界制御手段を更に有する、請求項１４乃至１９のいずれか一項に記載の読み取り装置。
【請求項２１】
前記クロック再生手段は、所定の値からの前記クロック信号の位相誤差の最大値のずれから前記制御情報を得るように構成される、請求項１４乃至２０のいずれか一項に記載の読み取り装置。
【請求項２２】
前記クロック再生手段は、位相ロックループ回路を有する、請求項１４乃至２１のいずれか一項に記載の読み取り装置。
【請求項２３】
前記変化手段は、前記所定の付加的な変化のパターンとして、所定の周波数の周期的パターンを利用するように構成される、請求項１４乃至２２のいずれか一項に記載の読み取り装置。
【請求項２４】
前記周期的なパターンは正弦波パターンである、請求項２３に記載の読み取り装置。
【請求項２５】
前記周期的なパターンは矩形波パターンである、請求項２３に記載の読み取り装置。
【請求項２６】
前記矩形波パターンの周波数は、ビット周波数の半分又は前記ビット周波数の半分の整数倍に対応する、請求項２５に記載の読み取り装置。
【請求項２７】
前記読み取り装置は、ＭＡＭＭＯＳディスク用のディスクプレイヤである、請求項１４乃至２６のいずれか一項に記載の読み取り装置。
【発明の詳細な説明】
【技術分野】
【０００１】
本発明は、記録層又は保存層と拡大層又は読み出し層とを有する、ＭＡＭＭＯＳ（Magnetic AMplifying Magneto-Optical System）ディスクのような、磁区拡大記録媒体を読み取るための方法及び装置に関する。
【背景技術】
【０００２】
光磁気記憶システムにおいては、記録されるマーク（mark）の最小幅は回折限界によって、即ちフォーカスレンズの開口数（ＮＡ）及びレーザの波長によって決定される。前記幅の減少は一般に、より短い波長のレーザ及びより高いＮＡのフォーカス光学素子に基づく。光磁気記録の間、レーザパルス磁界変調（ＬＰ−ＭＦＭ）を利用することにより、最小ビット長は光回折限界より小さく減少させられることができる。ＬＰ−ＭＦＭにおいては、磁界の切り換え、及びレーザの切り換えにより引き起こされる温度勾配によって、ビット遷移が決定される。
【０００３】
図３は、０．６μｍの幅及び０．２μｍの厚さを持つ、ＬＰ−ＭＦＭ記録による前記記録層に形成されるような三日月型のビット即ち記録される磁区の典型的なパターンを示す。このようにして記録された小さな三日月型のマークを読み出すために、磁気超解像（Magnetic Super Resolution、ＭＳＲ）又は磁区拡大（Domain Expansion、ＤｏｍＥｘ）法が提案されてきた。これらの技術は、幾つかの静磁結合又は交換結合した層を持つ記録媒体に基づく。
【０００４】
図２は、かようなＭＳＲ媒体についての、記録又は記憶層ｒｃｌ及び読み出し層ｒｄｌの典型的な積層を示す。図２において、矢印ｄｍｄはディスクの移動方向を示す。光磁気ディスクの読み出し層ｒｄｌは、読み取りの間隣接するビットをマスクするように構成され、一方磁区拡大によれば、スポットｍの中央における磁区ｄが拡大される。ＭＳＲに対する磁区拡大手法の利点により、回折限界よりも短い長さを持つビットが、前記回折限界スポットと同等のサイズを持つビットと同様の信号対ノイズ比（ＳＮＲ）を伴って検出されることができる。ＭＡＭＭＯＳは静磁結合された記憶層及び読み出し層に基づいた磁区拡大方法であり、ここでは前記読み出し層ｒｄｌにおける拡大及び拡大された磁区ｄの崩壊のために磁界の変調が利用される。
【０００５】
ＭＡＭＭＯＳのような上述した磁区拡大手法においては、記憶層ｒｃｌから書き込まれたマークは、外部磁界を利用してレーザ加熱の際に読み出し層ｒｄｌへコピーされる。該読み出し層の低い保磁力のため、前記コピーされたマークは光スポットを満たすまで拡大し、前記マークのサイズに依存しない飽和した信号レベルを伴って検出されることができる。前記外部磁界の反転は、前記拡大された磁区を崩壊させる。一方、前記記憶層におけるスペース（space）はコピーされず、拡大も起こらない。それ故、この場合には信号は検出されない。
【発明の開示】
【発明が解決しようとする課題】
【０００６】
記憶層ｒｃｌ中のビット又は磁区を読み出すために、前記光スポットの熱プロファイルが利用される。読み出し層ｒｄｌの温度が所定の閾値よりも高い場合、前記磁区は記憶層ｒｃｌから静磁結合された読み出し層ｒｄｌにコピーされる。これは、記憶層ｒｃｌの磁化に比例する記憶層ｒｃｌからの漏れ磁界ＨＳが、温度の関数として増大するからである。
【０００７】
図４は、記憶層又は記録層の磁化ＭＳの特性を、温度の関数として示す図を示す。図４によれば、磁化ＭＳは、補償温度Ｔｃｏｍｐよりすぐ上の温度領域において、温度の関数として増大する。この効果は、反対の方向を持つ２つの打ち消し合う磁化ＭＲＥ（希土類成分）とＭＴＭ（遷移金属成分）とを生成する、希土類遷移金属（ＲＥ−ＴＭ）合金の利用に起因する。
【０００８】
図５は、読み出し層ｒｄｌの保磁力の効果を、温度の関数として示す図を示す。読み出し層ｒｄｌの保持力は、補償温度Ｔｃｏｍｐよりすぐ上の当該領域において、温度の関数として減少する。異なる補償温度を持つ２つの層は、図５において例として示される。
【０００９】
外部磁界を印加することにより、読み出し層ｒｄｌにおけるコピーされた磁区は、元の磁区のサイズに依存せず、飽和された検出信号に拡大する。当該コピー処理は、非線形である。温度が閾値より高い場合、磁区は記憶層ｒｃｌから読み出し層ｒｄｌに結合される。当該閾値温度より高い温度については、以下の条件が満たされる：
【００１０】
ＨＳ＋Ｈｅｘｔ≧ＨＣ                                                (1)
ここでＨＳは読み出し層ｒｄｌにおける記憶層ｒｃｌの漏れ磁界であり、Ｈｅｘｔは外部の印加された磁界であり、ＨＣは読み出し層ｒｄｌの保磁力場である。当該コピーが起こる空間的な領域は、「コピーウィンドウ」ｗと呼ばれる。当該コピーウィンドウｗのサイズは、正確な読み出しのために非常に重要である。前記条件（１）が満たされない場合（コピーウィンドウｗ＝０）、コピーは全く起こらない。一方、大きすぎるコピーウィンドウｗは、隣接するビット（マーク）とオーバラップを引き起こし、付加的な「干渉ピーク」に導く。コピーウィンドウｗのサイズは、温度プロファイルの厳密な形状（例えば、レーザパワー及び周囲の温度に依存する）、前記外部の印加された磁界の強度、及び範囲による変化を示し得る物質パラメータに依存する。
【００１１】
一方、読み出し処理において利用されるレーザパワーは、コピーを可能とするために十分高いべきである。一方、高いレーザパワーは、前記ビットパターンの、温度により引き起こされる保磁力プロファイルと漏れ磁界プロファイルとのオーバラップを増大させる。温度の増大とともに、保磁力ＨＣは減少し、漏れ磁界は増大する。前記オーバラップが大きくなりすぎると、隣接するマークにより生成される偽の信号により、スペースの正しい読み出しはもはや可能ではなくなる。この最大許容レーザパワーと最小限必要とされるレーザパワーとの差が、所謂パワーマージンを決定する。当該パワーマージンは、ビット長が短くなると減少する。実験は、現在の方法を利用した場合、０．１０μｍのビット長が、１％よりも小さなパワーマージンで正しく検出され得ることを示した。それ故、より高い密度については、パワーマージンは非常に小さいままとどまり、そのため読み出しの間の最適なパワー制御が非常に重要である。
【００１２】
従来、即ち相変化型の記録又は従来の光磁気記録においては、読み取りモードの間のレーザパワーは、例えば所謂前方感応ダイオード（Forward Sense Diode（ＦＳＤ））を利用してレーザ出力パワーを測定するフィードバックループによって制御される。書き込みの間、付加的な実行最適パワー制御方法が、吸収制御を提供するために適用されても良い。かような方法は例えば、書き込み処理の間に反射される光を利用する。
【００１３】
しかしながら、これらのループの精度は、ＭＡＭＭＯＳディスクの堅固な読み出しのためには、はるかに不十分である。例えば、周囲の温度の変化は、一般に前記ＦＳＤによっては測定されないが、当該変化は前記コピーウィンドウに影響を及ぼす。
【００１４】
他の着想は、既知のシーケンスから検出されたＭＡＭＭＯＳピークの数を計数することにより、又は記録されたＤＣフリーの変調コードから検出された信号のランニング・ディジタル・サム（running digital sum）を算出することにより、前記レーザパワーを制御することである。これらの場合には、幾つかの場合においてコピーが起こらないため、不十分なレーザパワーは予期されるよりも少ない数のパルスに帰着する。一方、過度のレーザパワーは、予期されるよりも多くのパルスをもたらす。この種のパルス計数制御方法の不利な点は、エラー信号を得るためエラーが故意に作成される必要がある点である。
【００１５】
本発明の目的は、堅固で信頼性の高い読み出し処理が達成される、磁区拡大読み出しのための読み取り方法及び読み取り装置を提供することにある。
【課題を解決するための手段】
【００１６】
本目的は、請求項１に記載の方法を提供することにより、及び請求項８に記載の装置を提供することにより、本発明によって達成される。
【００１７】
従って、コピーウィンドウ制御機能への入力として、引き起こされたクロックのずれを利用することにより、動的なコピーウィンドウ制御機能が提供される。コピーウィンドウサイズの精度はかくして増大させられ、読み出し処理の堅固さ及び信頼性を改善する。
【００１８】
クロック信号は、読み出しパルスから、ディスクに備えられたウォブル状にされたグルーブ若しくは微細なエンボスされたクロックマークから、又はこれらのいずれの組み合わせからも再生されても良い。
【００１９】
所定のパラメータは、放射パワーの値に対応しても良い。代替として、前記所定のパラメータは、前記外部磁界の強度に対応しても良い。更なる実施例においては、前記所定のパラメータは、前記放射パワーと前記磁界の強度との組み合わせに対応しても良い。ここで、粗い制御が前記放射パワー値に基づいて実行され、一方で詳細な制御が前記外部磁界強度に基づくものであっても良い。この選択肢は、安定性及び電力消費の点で好ましい。しかしながら、この逆の選択肢もまた可能である。前記磁界強度は、例えば読み出しシステムの磁気ヘッドのコイル電流を変化させることにより変化させられても良い。勿論、上述したように、両方のパラメータが組み合わせて、即ち組み合わせられた粗い制御機能及び詳細な制御機能を実装するために利用されても良い。
【００２０】
更に、制御情報が、所定の設定値からの、再生されたクロック信号の位相誤差の最大値のずれから得られても良い。所定の付加的な変化パターンは、所定の周波数の周期的パターンであっても良い。とりわけ、前記周期的なパターンは、容易なロックイン検出を提供するために、正弦波パターンであっても良い。代替として、前記周期的なパターンは、好ましくはビット周波数の半分又はビット周波数の半分の整数倍である、矩形波パターンであっても良い。このことは、レーザ又はコイルドライバ回路における実装が容易であるという利点を持つ。
【００２１】
前記外部磁界は、マーク領域がコピーされるまで、磁界制御手段によって維持されても良く、その後読み出しパルスの検出に応じて反転されても良い。
【００２２】
他の有利な実施例は、従属請求項において定義される。
【００２３】
以下、本発明は、好適な実施例に基づいて、添付する図を参照しながら説明される。
【発明を実施するための最良の形態】
【００２４】
図１に示されるように、ＭＡＭＭＯＳディスクプレイヤに基づいて、好適な実施例が以下に説明される。
【００２５】
図１は、好適な実施例によるディスクプレイヤの構成を模式的に示す。前記ディスクプレイヤは、記録の間に符号データと同期する周期を持つパルスに変換された光を用いた光磁気ディスクのような光磁気記録媒体又は記録担体１０の照射のためのレーザ光放射部を持つ光ピックアップユニット３０を有し、光磁気ディスク１０における記録時及び再生時に制御された方法で磁界を供給する磁気ヘッド１２を有する磁界供給部をも有する。光ピックアップユニット３０において、レーザはレーザ駆動ユニットに接続される。該レーザ駆動ユニットは、記録／読み出しパルス調節ユニット３２から記録及び読み出しパルスを受信して、これにより記録及び読み出し動作の間、光ピックアップユニット３０のレーザのパルス振幅及びタイミングを制御する。記録／読み出しパルス調節ユニット３２は、ＰＬＬ（Phase Locked Loop）回路を有しても良いクロック発生器２６からクロック信号を受信する。
【００２６】
簡略化の理由から、磁気ヘッド１２及び光ピックアップユニット３０は図１においてディスクの反対側に示されていることに留意されたい。しかしながら、好適な実施例によれば、これらはディスク１０の同一の側に配置されるべきである。
【００２７】
磁気ヘッド１２はヘッド駆動ユニット１４に接続され、記録時に変調器２４から位相調節回路１８を介して符号変換されたデータを受信する。変調器２４は入力される記録データを所定の符号に変換する。
【００２８】
再生時には、ヘッドドライバ１４は、タイミング回路３４から再生調節回路２０を介してタイミング信号を受信する。再生調節回路２０は、磁気ヘッド１２に供給されるパルスのタイミング及び振幅を調節するための同期信号を生成する。タイミング回路３４は、後述するデータ読み出し動作からタイミング信号を得る。かくしてデータ依存の磁界切り換えが達成されることができる。記録／再生スイッチ１６は、記録時及び再生時において、ヘッドドライバ１４に供給されるそれぞれの信号を切り換える又は選択するために備えられる。
【００２９】
更に光ピックアップユニット３０は、ディスク１０から反射されたレーザ光を検出し、復号化器２８に供給される対応する読み取り信号を生成するための検出器を有する。復号化器２８は、出力データを生成するために、前記読み取り信号を復号化するように構成される。更に、光ピックアップユニット３０によって生成された読み取り信号はクロック発生器２６に供給される。クロック発生器２６においては、ディスク１０の型押しされたクロックマークからクロック信号が抽出又は再生される。クロック発生器２６は、同期の目的のため、記録パルス調節回路２３及び変調器２４に前記クロック信号を供給する。とりわけ、クロック発生器のＰＬＬ回路においてデータチャネルクロックが生成されても良い。クロック発生器２６から得られるクロック信号は再生調節回路２０にも供給されても良いことに留意されたい。これにより、タイミング回路３４によって制御されるデータに依存する切り換え又は同期を支援し得る基準又は予備同期を提供できる。
【００３０】
データ記録の場合、光ピックアップユニット３０のレーザは、前記データチャネルクロックの周期に対応する一定の周波数を用いて変調され、回転するディスク１０のデータ記録エリア又はスポットは、等距離で局所的に加熱される。加えて、クロック発生器２６によって出力される前記データチャネルクロックは、標準のクロック周期を持つデータ信号を生成するため、変調器２４を制御する。前記記録データは、前記記録データの情報に対応するバイナリのランレングス情報を得るために、変調器２４によって変調され符号変換される。
【００３１】
光磁気記録媒体１０の構造は、特開２０００−２６００７９に記載された構造に対応しても良い。
【００３２】
図１に示される好適な実施例においては、タイミング回路３４は、データ依存のタイミング信号を再生調節回路２０に供給するように備えられる。代替としては、外部磁界のデータ依存の切り換えは、タイミング信号をヘッドドライバ１４に供給し、それにより外部磁界のタイミング又は位相を調節することにより達成されても良い。タイミング情報はディスク１０上の（ユーザ）データから得られる。このことを達成するため、再生調節回路２０又はヘッドドライバ１４は、通常拡大方向に延在する磁界を提供するように構成される。光ピックアップユニット３０の出力部に接続された入力ラインにおいてＭＡＭＭＯＳピークの立ち上がり信号端がタイミング回路３４によって検出された場合、前記タイミング信号が再生調節回路２０に供給され、それによりヘッドドライバ１４が短い時間の後に磁界を反転するように制御され、それにより読み出し層における拡大された磁区を崩壊させ、その少し後に、前記磁界を拡大方向に再設定する。前記ピークの検出と前記磁界の再設定との間の合計時間は、許容される最大のコピーウィンドウとディスク１０における１つのチャネルビット長との合計（ディスクの線速度倍）に対応するように、タイミング回路３４によって設定される。
【００３３】
好適な実施例による動的なコピーウィンドウ制御機能が以下に説明される。図６は、コピーウィンドウサイズの感度の、保磁力、外部磁界及びレーザパワーの関数としての模式的な表現である。実験より、磁区の堅固な読み出しのためには、前記レーザパワーは０．８％よりも優れた精度で制御される必要がある。図６に示されるように、コピー処理のための閾値温度は、漏れ磁界ＨＳの合計と、外部磁界Ｈｅｘｔの合計とが、保磁力ＨＣと等しくなる点において決定される。本図の下部においては、光スポットの温度プロファイルＴＰ及び強度プロファイルＩＰが、ディスクトラックの接線方向にプロットされている。ディスクの移動により、温度プロファイルＴＰは非対称な形状を持ち、強度プロファイルＩＰは、ディスク移動方向に前記温度プロファイルよりもわずかに進んでいる。このときコピーウィンドウのサイズｗは、図６の左下部におけるグレーの長方形エリアによって示されるように、閾値温度Ｔthresholdにおける温度プロファイルＴＰの幅によって決定される。
【００３４】
１次モデルとして、温度プロファイルＴＰの先端が放物線として見なされる（温度プロファイルの先端のみが、必要とされる高解像度の読み出しを達成するために利用されることに留意されたい）。このことは、以下のように表現され得る：
【００３５】
Ｔ（ｘ）＝ａｘ２＋ｂｘ＋ｃ
コピーウィンドウの幅はここでは、以下の式によって表現されるような、閾値温度Ｔthresholdに依存する平方根関数である。
【数１】
2005530292.tif 000003
コピーウィンドウが生じる始まりの温度は、
Ｔthreshold＝ｃ−ｂ２／４ａ
である。
【００３６】
上述の関数ｗｘ（Ｔ）は、図７において模式的に表される。網掛けされた領域は、システムが適切に同期されている場合に、干渉ピークが発生しないＭＡＭＭＯＳ読み出しのための、適正動作領域である。図７から推測されるように、コピーウィンドウのサイズｗは、平方根関数に従って増大し、一方でコピーウィンドウのサイズｗの変化の量、即ち接線方向の傾斜即ちグラフの導関数は、実際の閾値温度に依存する。この事実は、以下のようなコピーウィンドウ制御機能を提供するために利用される。
【００３７】
ここで提案される方法は、読み取りモードにおいて検出されたデータ信号からの情報を利用して、継続的にコピーウィンドウのサイズｗを測定することである。図８は、一定のレーザパワー、一定の周囲温度、均一なディスク特性、一定の磁界強度、一定のコイル−ディスク間距離等のような、定常状態の状況におけるＭＡＭＭＯＳディスクの読み出しのための、幾つかの重要な信号を示す。１番上のグラフは、記憶層における磁気ビットを示す。２番目のグラフは、磁気ビットパターンとコピーウィンドウとのオーバラップ信号（たたみ込み）を示す。３番目のグラフは外部磁界を示し、１番下のグラフは、結果のＭＡＭＭＯＳ信号を示す。オーバラップ信号が０でない場合、磁区のコピーが起こる。既に述べたように、前記外部磁界は、ビット又は磁区が記憶層からコピーされ、読み出し層において拡大されるまで、高く維持される。次いで、一定の遅延の後、前記外部磁界は反転され、前記磁区は次のビット遷移又は磁区のコピーが起こるまで崩壊させられる。
【００３８】
図９は図８と類似の図を示すが、ここでは例えばレーザパワーのようなパラメータの１つが故意に増大させられている。この増大／減少（ウォブル）は、例えば小さな振幅を持つ周期的なパターンのような、所定の変化パターンを用いて為される。このウォブルは、当該ウォブルの周波数と同期して、コピーウィンドウにサイズを増大又は減少させる。図８と図９とを比較すると、コピーウィンドウがサイズを増大させる場合には、次の遷移が予期されるよりも幾分早く現れる。一方、コピーウィンドウがサイズを減少させる場合には、次の遷移はわずかに遅延される。当該遅延は、図９に示す位相誤差Δφである。しかしながら、図７から推測されるように、コピーウィンドウサイズの増大又は減少、及びそれ故位相誤差Δφの値は、実際の閾値温度に依存する。
【００３９】
前記ウォブルの周波数が、クロック発生器２６のクロック再生ＰＬＬ回路の帯域幅よりも上にある場合、当該ＰＬＬ回路の位相誤差は、予期される遷移位置からの小さなずれ即ち位相誤差Δφを検出するために利用されることができる。導入されるウォブル又は変化パターンの周波数のずれの平均値は０であるべきである。
【００４０】
図１０は、好適な実施例によるクロック発生器２６のＰＬＬ回路の例を示す。ピックアップユニット３０から検出されるランレングス信号出力は、位相検出器２６１に供給される。位相検出器２６１において、前記ランレングス信号の位相は、クロック分割器２６５から得られるフィードバック信号の位相と比較される。クロック分割器２６５には、電圧制御された発振器（ＶＣＯ）２６４の出力信号が供給される。前記ランレングス信号と前記フィードバック信号との位相差に対応する位相検出器２６１の出力は、前記ＰＬＬ回路において位相制御されるべき所望の周波数を抽出するために、ループフィルタ２６３に供給される。前記ウォブルの周波数のあたりに中央周波数を持つバンドパスフィルタ２６２は、位相誤差Δφの低ノイズ検出、即ちロックイン検出のために利用されることができる。ここで得られる位相誤差Δφは、レーザパワー制御のための絶対誤差信号としては未だ利用されることはできない。なぜなら、絶対スケールのみが知られており、基準（ゼロ又はオフセット）が存在しないからである。このことは、コピーウィンドウのサイズの変化のみが測定されることができることを意味する。
【００４１】
この問題を回避するため、コピーウィンドウのサイズを制御するための制御情報を得るために、コピーウィンドウサイズｗの導関数が温度の関数として測定される。
【００４２】
図１１は、図７のコピーウィンドウ特性の導関数を示す。コピーウィンドウサイズの導関数又は変化の量は直接に位相誤差Δφに導くという事実のため、検出される位相誤差Δφの振幅は前記導関数に対応し、それ故コピーウィンドウ制御に利用されることができる。基準条件として、この位相誤差Δφの振幅は、最初に決定された設定条件即ち設定値ｓｐを満足する必要がある。この設定値ｓｐからのずれはここでは、レーザパワー制御処理のための、又は例えば外部磁界の強度のような他のいずれかの適切な読み取りパラメータの制御のための制御信号ＰＥとして利用されることができる。
【００４３】
コイル−ディスク間の距離、周囲の温度等のようなパラメータの変化によるコピーウィンドウのサイズｗのいずれの変化も、本例において例えばレーザパワーのような制御されるパラメータによって打ち消される。
【００４４】
しかしながら、前記レーザパワーが制御される場合、前記システムは、供給されるウォブル信号の位相シフトを引き起こす、わずかな熱的メモリを被り得る。原則として、当該シフトは、制御ループ中に遅延を導入することにより補償され得る。前記遅延は、ディスク速度の関数であるべきであり、またディスクの積層（熱的な設計）に依存する。代替として、前記外部磁界の磁界強度は、例えばコイル電流を変化させることにより、制御パラメータとして利用されても良い。当該制御は、図６において示される関係によって与えられるものと同等であることに留意されたい。なぜなら前記閾値温度も、外部磁界Ｈｅｘｔの強度に応じてシフトされるからである。上述された着想は、この場合にも大きく変化しない。
【００４５】
本発明は、磁区拡大光磁気記憶システムのためのいずれの読み取りシステムに適用され得ることに留意されたい。いずれの適切な読み取りパラメータも、コピーウィンドウサイズを制御するために変化させられても良い。更に、前記読み出し信号の位相誤差を引き起こすために、いずれの適切な変化パターンも、選択された読み取りパラメータに適用されても良い。かくして好適な実施例は、添付する請求項の範囲内で変化し得る。
【図面の簡単な説明】
【００４６】
【図１】好適な実施例による光磁気ディスクプレイヤの図を示す。
【図２】磁気超解像（ＭＳＲ）媒体における記録層及び読み出し層の典型的な積層を示す。
【図３】記憶層に形成される典型的な三日月型の磁区領域を示す。
【図４】記録層の磁化の特性を温度の関数として示す図を示す。
【図５】読み出し層の保磁力の特性を温度の関数として示す図を示す。
【図６】コピーウィンドウサイズの感度の、保磁力、外部磁界及びレーザパワーの関数としての模式的な表現である。
【図７】コピーウィンドウサイズの特性を温度の関数として示す図を示す。
【図８】一定の読み取りパラメータ、及びｂ／２に等しい小さなコピーウィンドウサイズについての読み出し信号を示す。
【図９】増大されたコピーウィンドウサイズについての読み出し信号を示す。
【図１０】好適な実施例による、クロック再生回路のブロック図を示す。
【図１１】コピーウィンドウサイズ及び位相誤差振幅の特性を閾値温度の関数として示す図を示す。
【図１】
2005530292.tif 000004
【図２】
2005530292.tif 000005
【図３】
2005530292.tif 000006
【図４】
2005530292.tif 000007
【図５】
2005530292.tif 000008
【図６】
2005530292.tif 000009
【図７】
2005530292.tif 000010
【図８】
2005530292.tif 000011
【図９】
2005530292.tif 000012
【図１０】
2005530292.tif 000013
【図１１】
2005530292.tif 000014
【国際調査報告】
2005530292.tif 000015
2005530292.tif 000016
2005530292.tif 000017